(57)【要約】【課題】ハンドピースの使用中に、ヘッドケース蓋部材が押し下げられることがないようにして、ヘッドケース蓋部材が加熱されることがないようにし、もって、患者の口腔内等が火傷のおそれがないようにした。【解決手段】回転筒３０と、回転筒３０の上部を回転自在に保持するヘッドケース内上蓋部材２０と、前記回転筒の内壁に固定されたチャック筒４０と、チャック筒４０を開閉するチャック開閉部材５０と、ヘッドケース蓋部材６０と、ヘッドケース蓋部材６０を上方に押し上げているばね部材７０とを有し、ヘッドケース蓋部材６０をばね部材７０に抗して押下してチャック開閉部材を介して前記チャック筒４０を開く。ヘッドケース蓋部材６０の周面には、少なくとも１つの突起部６０ａを有し、ヘッドケース内上蓋部材２０の周面には、前記突起部６０ａを案内するガイド溝２０ａを有し、該ガイド溝２０ａにより、前記突起部６０ａを軸方向及び周方向に案内する。【選択図】図１
2008093020.tif 000002
【特許請求の範囲】
【請求項１】
ヘッドケース内において回転自在に保持された回転筒と、前記ヘッドケース内において前記回転筒の上部を回転自在に保持するヘッドケース内上蓋部材と、前記回転筒の内壁に固定されたチャック筒と、該チャック筒と係合して該チャック筒を開閉するチャック開閉部材と、前記ヘッドケースの上部に回動自在にかつ前記回転筒の軸方向に対して移動可能に配設されたヘッドケース蓋部材と、前記ヘッドケース内上蓋部材と前記ヘッドケース蓋部材との間に介装されて前記ヘッドケース蓋部材を上方に押し上げているばね部材とを有し、前記ヘッドケース蓋部材を前記ばね部材に抗して押下して前記チャック開閉部材を介して前記チャック筒を開くようにした歯科用ハンドピースにおいて、前記ヘッドケース蓋部材の周面には、少なくとも１つの突起部を有し、前記ヘッドケース内上蓋部材の周面には、前記突起部を案内するガイド溝を有し、該ガイド溝は、前記突起部を軸方向及び周方向に案内する溝であることを特徴とする歯科用ハンドピース。
【請求項２】
前記ヘッドケース蓋部材と前記ヘッドケース内上蓋部材との間には、前記ヘッドケース蓋部材を周方向に付勢するばね部材が設けられていることを特徴とする請求項１に記載の歯科用ハンドピース。
【請求項３】
前記ヘッドケース蓋部材を上方に押圧しているばね部材はコイルスプリングであって、該コイルスプリングの一端は前記ヘッドケース蓋部材に固定され、他端は前記ヘッドケース内上蓋部材に固定され、前記ヘッドケース蓋部材を回動した時に、前記コイルスプリングによって前記ヘッドケース蓋部材を元の位置に戻す復元力を発生させるものであることを特徴とする請求項１に記載の歯科用ハンドピース。
【請求項４】
前記ガイド溝は、前記ヘッドケース蓋部材を、該ヘッドケース蓋部材が前記チャック開閉部材に接触しない上方位置と、前記チャック開閉部材に接触して該チャック開閉部材を押下可能な下方位置との間であって、かつ、周方向に離れた上方位置と下方位置との間を案内するものであることを特徴とする請求項２又は請求項３に記載の歯科用ハンドピース。
【発明の詳細な説明】
【技術分野】
【０００１】
本発明は、マイクロエンジン、エアータービン等の切削バーを着脱自在に装着可能なチャック機構を有する歯科用ハンドピースに関するものであり、より詳細には、歯科治療中に、患者の口腔内あるいは操作者の指に火傷の虞のないようにした、チャック開閉機構を有する歯科用ハンドピースに関するものである。
【背景技術】
【０００２】
図４は、本発明が適用される一例としての従来の歯科用エアータービンハンドピースの
一例を説明するためのヘッド部断面図で、図中、１０はハンドピース１の先端部に設けられたヘッドケース、２０は該ヘッドケース１０内の上部において該ヘッドケース１０に螺着されたヘッドケース内上蓋部材、３０は回転筒で、この回転筒３０は軸受１１，１２のインナーレースに該インナーレースと一体的に回転するように固定され、これら軸受けのアウターレースがそれぞれＯリング２２，２１を介してヘッドケース１０及びヘッドケース内上蓋部材２０に固定され、これによって、インナーレースと一体の回転筒３０及びタービン羽根３１がヘッドケース１０内に回転可能に支持されている。
【０００３】
回転筒３０内にはチャック筒４０が一体的に固定されているが、この回転筒３０の内周壁とチャック筒４０の外周壁との間には、上方部において間隙Ｇを有し、チャック筒４０の周壁には、該間隙Ｇが設けられている長さに亘って、例えば、対向して一対のスリット４０ａが設けられている。
【０００４】
チャック筒４０の上部には、該チャック筒４０を開閉するチャック開閉部材５０が設けられており、このチャック開閉部材５０の下端部には、前記チャック筒４０のスリット４０ａに係合する一対の錐形（先細）の先端部５０ａが設けられており、このチャック開閉部材５０を下方に押した時に、前記錐形（先細）の先端部５０ａがチャック筒４０のスリット４０ａ内に割り込み、これによって、チャック筒４０の上方を径方向に押し広げ、これによって、該チャック筒４０内に例えば歯牙切削バーを挿脱可能にしている。
【０００５】
６０は、ヘッドケース１０の蓋部材、７０は該ヘッドケース蓋部材６０を常時は上方に押し上げているばね部材で、切削バー挿脱時、術者は、ばね部材（コイルスプリング）７０のばね力に抗してヘッドケース蓋部材６０を下方に押し下げる。ヘッドケース蓋部材６０を押し下げると、チャック開閉部材５０の下方の先端先細部５０ａがチャック筒４０のスリット４０ａ内に押し込まれ該チャック筒４０の上方を径方向に押し広げ、該チャック筒４０内への切削バーの挿脱を可能にする。
【０００６】
上述のようにして、ヘッドケース蓋部材６０を押下してチャック筒４０内に切削バーを挿入した後、ヘッドケース蓋部材６０を押下している力を取り去ると、該ヘッドケース蓋部材６０はばね部材７０の復元力により上方の元の位置に戻り、挿入された切削バーは、チャック筒４０の上方の元の状態に戻ろうとする復元力（バネ力）によって銜え込まれ、その状態に保持され（チャックされ）、その状態で、つまり、チャック筒４０によって切削バーをチャックした状態で歯牙の切削等が行われる。切削バーを取り外す時も、同様に、ヘッドケース蓋部材６０を押し下げ、チャック筒４０のスリット４０ａにチャック開閉部材５０の下端部５０ａを割り込ませ、チャック筒４０の上方を径方向に押し広げ（チャックを開き）、挿入されている切削バーを引き抜く。
【発明の開示】
【発明が解決しようとする課題】
【０００７】
上記従来の歯科用ハンドピースにおいては、その使用中、つまり、回転筒３０が高速回転中に、使用者がヘッドケース蓋部材６０を、例えば、患者の口腔内に不用意に押し付けると、その圧力によってヘッドケース蓋部材６０はばね部材（コイルスプリング）７０を押下し、該ヘッドケース蓋部材６０の下面６０ｂが高速回転中のチャック開閉部材５０の上面５０ｂに押しつけられる結果、チャック開閉部材５０の上面５０ｂとヘッドケース蓋部材６０の下面６０ｂとの間に摩擦熱が発生し、その熱によりヘッドケース蓋部材６０が加熱されるため、患者が口腔内に火傷を負うことがある。同様に、治療に当たる作業者が前記ハンドピースの動作中に誤ってヘッドケース蓋部材６０を指等に押しつけた場合においても、同様に、指等に火傷を負うことがある。
【０００８】
本発明の目的は、前述のごとき従来のハンドピースのチャック機構の持つ欠点を解消した歯科ハンドピースを提供することにあり、具体的には、ハンドピースの使用中に、ヘッドケース蓋部材が押し下げられることがないようにして、もって、ヘッドケース蓋部材に患者の口腔内又は操作者の指等を押し付けても火傷のおそれのない、歯科用ハンドピースを提供することにある。
【課題を解決するための手段】
【０００９】
請求項１の発明は、ヘッドケース内において回転自在に保持された回転筒と、前記ヘッドケース内において前記回転筒の上部を回転自在に保持するヘッドケース内上蓋部材と、前記回転筒の内壁に固定されたチャック筒と、該チャック筒と係合して該チャック筒を開閉するチャック開閉部材と、前記ヘッドケースの上部に回動自在にかつ前記回転筒の軸方向に対して移動可能に配設されたヘッドケース蓋部材と、前記ヘッドケース内上蓋部材と前記ヘッドケース蓋部材との間に介装されて前記ヘッドケース蓋部材を上方に押し上げているばね部材とを有し、前記ヘッドケース蓋部材を前記ばね部材に抗して押下して前記チャック開閉部材を介して前記チャック筒を開くようにした歯科用ハンドピースにおいて、前記ヘッドケース蓋部材の周面には、少なくとも１つの突起部を有し、前記ヘッドケース内上蓋部材の周面には、前記突起部を案内するガイド溝を有し、該ガイド溝は、前記突起部を軸方向及び周方向に案内する溝であることを特徴としたものである。
【００１０】
請求項２の発明は、請求項１の発明において、前記ヘッドケース蓋部材と前記ヘッドケース内上蓋部材との間には、前記ヘッドケース蓋部材を周方向に付勢するばね部材が設けられていることを特徴としたものである。
【００１１】
請求項３の発明は、請求項１の発明において、前記ヘッドケース蓋部材を上方に押圧しているばね部材はコイルスプリングであって、該コイルスプリングの一端は前記ヘッドケース蓋部材に固定され、他端は前記ヘッドケース内上蓋部材に固定され、前記ヘッドケース蓋部材を回動した時に、前記コイルスプリングによって前記ヘッドケース蓋部材を元の位置に戻す復元力を発生させるものであることを特徴としたものである。
【００１２】
請求項４の発明は、請求項２又は請求項３の発明において、前記ガイド溝は、前記ヘッドケース蓋部材を、該ヘッドケース蓋部材が前記チャック開閉部材に接触しない上方位置と、前記チャック開閉部材に接触して該チャック開閉部材を押下可能な下方位置との間であって、かつ、周方向に離れた上方位置と下方位置との間を案内するものであることを特徴としたものである。
【発明の効果】
【００１３】
本発明によれば、ハンドピース使用中、ヘッドケース蓋部材に力が加わっても、該ヘッドケース蓋部材が下方に押し下げられることがないので、該ヘッドケース蓋部材が回転筒と一体回転するチャック開閉部材に接触することがないので、従来のハンドピースのように、ヘッドケース蓋部材に摩擦熱が発生することはない。従って、歯科用ハンドピースの使用中にヘッドケース蓋部材に不用意に触ったとしても、患者や治療作業者が火傷を負う虞がなく、安全である。
【発明を実施するための最良の形態】
【００１４】
図１は、本発明による歯科用ハンドピースの一実施例を説明するためのヘッド部構成図で、図中、図４に示した従来技術と同様の作用をする部分には、図４の場合と同一の参照番号を付し、その説明は省略する。
【００１５】
前述のように、本発明は、ハンドピース使用中にヘッドケース蓋部材６０に力が加わっても、該ヘッドケース蓋部材６０が押し下げられないようにしたものであり、そのため、ヘッドケース蓋部材６０の周辺部に突起６０ａを設け、更に、ヘッドケース内上蓋部材２０に前記突起６０ａを上下方向（軸方向）及び周方向に案内するスリット（ガイド溝）２０ａを設け、更には、前記ヘッドケース蓋部材６０を周方向に回動するばね部材８０を設け、常時は、つまり、ヘッドケース蓋部材６０がばね部材７０によって上方に押し戻されている時は、該ヘッドケース蓋部材６０を下方に押し下げることができないようにしたものである。
【００１６】
図２は、前記ヘッドケース蓋部材６０と前記ヘッドケース内上蓋部材２０との関係を詳細に示す概略斜視図（ただし、図１に示したばね部材７０は省略してある）で、この例は、ヘッドケース蓋部材６０とヘッドケース内上蓋部材２０との間にヘッドケース蓋部材６０を周方向に移動可能に支持するばね部材８０を固定して設け、常時は、該ばね部材８０とばね部材７０との協働作用によって、ヘッドケース蓋部材６０をガイド溝２０ａに沿って上方に押し上げるとともに周方向（Ａ方向）に偏倚させており、この状態では、ヘッドケース蓋部材６０を下方に押しても、該ヘッドケース蓋部材６０を下方に押し下げることができないようになっている。
【００１７】
チャック筒４０に切削バーを取り付ける場合は、ヘッドケース蓋部材６０の突起部６０ａをガイド溝２０ａに沿って押し下げ（ばね部材８０のばね力に抗して矢印Ｂ方向に回動しながらばね部材７０に抗して押し下げ）、これによって、チャック開閉部材５０を押し下げ、チャック筒４０の上部を径方向に押し広げ、該チャック筒４０内への切削バーの挿入を可能にする。
【００１８】
ヘッドケース蓋部材６０を押し下げるには、つまり、チャックを開閉する時は、術者は、ヘッドケース蓋部材６０をばね部材８０のばね力に抗して回動しながら押し下げなければならず、このヘッドケース蓋部材６０をばね部材８０のばね力に抗して回動する力が働かないかぎり、ヘッドケース蓋部材６０を押し下げることができないようになっている。ハンドピース使用中に、例えば、ハンドピースのヘッド部を患者の口腔内に挿入して歯牙等の切削を行っている間に、該ヘッドケース蓋部材６０に該ヘッドケース蓋部材６０を回動するような力が加わることは有り得ず、該ヘッドケース蓋部材６０が加熱されるような恐れはない。
【００１９】
以上には、チャック筒４０を開閉する際に回動したヘッドケース蓋部材６０を元の位置に自動的に戻すためにばね部材８０を設けた例を説明したが、このばね部材８０を省略し、ばね部材７０によってヘッドケース蓋部材６０を元の位置に戻すようにすることもできる。
【００２０】
図３は、ばね部材（コイルスプリング）７０を利用してヘッドケース蓋部材６０を周方向に偏倚するようにした例を説明するための要部分解斜視図で、この例は、ばね部材としてコイルスプリング７０を使用し、該コイルスプリング７０の下端７０ｂをヘッドケース内上蓋２０に固定し、上端７０ａをヘッドケース蓋部材６０に固定したもので、このようにすると、ヘッドケース蓋部材６０は、常時は、上下方向においては、該コイルスプリング７０の軸方向伸張力によって、上方に押し上げられた状態にあり、周方向には、該コイルスプリング７０の巻き戻し力によって所定の位置に係止されている（矢印Ａ方向に偏倚されている）。術者は、コイルスプリング７０の巻き戻し力に抗してヘッドケース蓋部材６０を矢印Ｂ方向に回動し、同時に、該コイルスプリング７０の伸張力に抗してヘッドケース蓋部材６０を押下し、チャック筒４０を開閉して切削バーを挿脱する。挿脱後は、該コイルスプリング７０の巻き戻し力及び伸張力によって、ヘッドケース蓋部材６０は元の位置に自動的に戻される。
【図面の簡単な説明】
【００２１】
【図１】本発明による歯科用ハンドピースの一実施例を説明するためのヘッド部構成図である。
【図２】本発明の動作説明をするための要部分解斜視図である。
【図３】本発明の他の実施例を説明するための要部分解斜視図である。
【図４】本発明が適用される一例としての従来の歯科用ハンドピースのヘッド部構成図である。
【符号の説明】
【００２２】
１…歯科用ハンドピース、１０…ヘッドケース、１１，１２…軸受、２０…ヘッドケース内上蓋部材、２０ａ…スリット（ガイド溝）、２１，２２…Ｏリング、３０…回転筒、３１…タービン羽根、４０…チャック筒、４０ａ…スリット、５０…チャック筒開閉部材、６０…ヘッドケース蓋部材、６０ａ…突起、７０…ばね部材（コイルスプリング）、８０…ばね部材。
【図１】
2008093020.tif 000003
【図２】
2008093020.tif 000004
【図３】
2008093020.tif 000005
【図４】
2008093020.tif 000006